(57)【要約】【課題】水切り性能を確保しつつ、美感を損なわない庇先端部構造及び庇構造を提供する。【解決手段】庇構造１は、躯体Ｘから張り出して設けられ、躯体Ｘの表面から張り出して設けられ、基端部から先端部にかけて下り傾斜状に形成された上面部８を有する庇本体４と、庇本体４の先端部９に連結される庇先端部材２０と、を備え、庇先端部材２０は、下り傾斜状に形成される傾斜本体部２３と、傾斜本体部２３の下り先端部２３ｄに滑らかに連結されて円弧状に下る曲面部２４と、曲面部２４の下端部から下方に延在する前面部２５と、傾斜本体部２３に対向して設けられる下板部２６と、を有し、下板部２６は、曲面部２４又は前面部２５に連結されており、少なくとも前面部２５の下端部２５ｃは下板部２６よりも下方に突出している。【選択図】図５
2014214521.tif 000002
【特許請求の範囲】
【請求項１】
躯体から張り出す庇本体の先端部に設けられる庇先端部構造であって、
下り傾斜状に形成される傾斜本体部と、
前記傾斜本体部の下り先端部に滑らかに連結されて円弧状に下る曲面部と、
前記曲面部の下端部から下方に延在する前面部と、
前記傾斜本体部に対向して設けられる下板部と、を備え、
前記下板部は、前記曲面部又は前記前面部に連結されており、少なくとも前記前面部の下端部は前記下板部よりも下方に突出していることを特徴とする庇先端部構造。
【請求項２】
前記曲面部の曲率半径は、２〜６ｍｍとされていることを特徴とする請求項１に記載の庇先端部構造。
【請求項３】
前記傾斜本体部には、前記傾斜本体部の傾斜方向に交差する凸条部が設けられており、当該凸条部の延在方向のいずれかの位置には、切欠き部が設けられていることを特徴とする請求項１又は２に記載の庇先端部構造。
【請求項４】
躯体から張り出して設けられる庇構造であって、
前記躯体の表面から張り出して設けられ、基端部から先端部にかけて下り傾斜状に形成された上面部を有する庇本体と、前記庇本体の先端部に連結される庇先端部材と、を備え、
前記庇先端部材は、
下り傾斜状に形成される傾斜本体部と、
前記傾斜本体部の下り先端部に滑らかに連結されて円弧状に下る曲面部と、
前記曲面部の下端部から下方に延在する前面部と、
前記傾斜本体部に対向して設けられる下板部と、を有し、
前記下板部は、前記曲面部又は前記前面部に連結されており、少なくとも前記前面部の下端部は前記下板部よりも下方に突出していることを特徴とする庇構造。
【請求項５】
前記庇本体は、前記上面部の先端部から下方に突出する鼻隠し部を備え、
前記庇先端部材は、前記鼻隠し部の上端部に取り付けられ、前記庇本体の上面部に連結された第１の水切り材と、前記鼻隠し部の下端部に取り付けられた第２の水切り材とを有することを特徴とする請求項４に記載の庇構造。
【請求項６】
前記第１の水切りの先端部は、前記第２の水切りの先端部よりも前記躯体から離れる側に突出して設けられていることを特徴とする請求項５に記載の庇構造。
【発明の詳細な説明】
【技術分野】
【０００１】
本発明は、住宅建物の窓や玄関等に設けられる庇の先端部構造及び庇構造に関する。
【背景技術】
【０００２】
従来、雨水の吹き込み等を回避する目的で建物の窓上や玄関上に庇を設けることがある。このような庇の構造として、例えば特許文献１及び２に記載されたものが知られている。特許文献１に記載された庇の構造では、庇の上面が外側へ向かって下がるように傾斜し、下面は水平に延び、当該上面及び下面の先端部同士を連結する端面は、垂直に延びている。特許文献２に記載された庇構造では、庇先端部となる板材端部が曲面状に湾曲形成されると共に、板材端部の小口面が居室側に向けて上り傾斜状に形成されている。
【先行技術文献】
【特許文献】
【０００３】
【特許文献１】特開２００７−１１３２８７号公報
【特許文献２】特開２０１３−３６２５３号公報
【発明の概要】
【発明が解決しようとする課題】
【０００４】
ここで、庇の上面に振り落ちた雨水は、庇の先端部から下方に滴下乃至流下する。上記特許文献１に記載の庇構造では、上面に沿って外方へ雨水が流れ、端面を伝わって下方へ落ちるが、端面と下面との間の角部で下面に回り込んでしまい、広い下面を伝って建物側へ移動してしまう虞がある。一方、上記特許文献２に記載の庇構造では、このような問題には対応できるものの、庇の先端部を一枚の板材により形成するため、強度が弱いのみならず、当該庇先端部を見上げた時に曲面部の裏側等が見えてしまい、美感を損なう虞がある。
【０００５】
そこで、本発明は、水切り性能を確保しつつ、美感を損なわない庇先端部構造及び庇構造を提供することを課題とする。
【課題を解決するための手段】
【０００６】
上記課題を解決するため、本発明に係る庇先端部構造は、躯体から張り出す庇本体の先端部に設けられる庇先端部構造であって、下り傾斜状に形成される傾斜本体部と、傾斜本体部の下り先端部に滑らかに連結されて円弧状に下る曲面部と、曲面部の下端部から下方に延在する前面部と、傾斜本体部に対向して設けられる下板部と、を備え、下板部は、曲面部又は前面部に連結されており、少なくとも該前面部の下端部は下板部よりも下方に突出している。
【０００７】
本発明の庇先端部構造では、傾斜本体部が下り傾斜状に形成されているので、当該傾斜本体部上の水は、下り先端部に向けて重力落下することとなる。そして、当該下り先端部にて曲面部に沿って下方に向けて流下して前面部に至り、当該前面部の下端部から落下することとなる。この際、当該前面部の下端部は下板部よりも下方に突出しているので、当該下端部に至った水滴は下板部側に回り込むことなく速やかに落下することとなる。また、傾斜本体部の下方を下板部が覆うことになるので、下方から当該先端部を見上げた際の美感が維持される。以上より、水切り性能を確保しつつ、美感を損なわない庇先端部構造を提供することができる。
【０００８】
また、曲面部の曲率半径は、２〜６ｍｍとされていることが好ましい。このように構成することで、より速やかな雨水の落下を図ることができる。
【０００９】
また、傾斜本体部には、傾斜本体部の傾斜方向に交差する凸条部が設けられており、当該凸条部の延在方向のいずれかの位置には、切欠き部が設けられていることが好ましい。このように構成すると、傾斜本体部に凸条部が設けられることとなるので、傾斜本体部を流下する雨水は、当該凸条部の凸部に一度流下を塞き止められることとなる。当該凸条部の両側部の少なくとも一方には、切欠き部が設けられているので、当該切欠き部を通じて雨水が流れることとなる。これにより、雨水が落下する範囲を狭めて水切りを行うことができる。
【００１０】
本発明の庇構造は、躯体から張り出して設けられる庇構造であって、躯体の表面から張り出して設けられ、基端部から先端部にかけて下り傾斜状に形成された上面部を有する庇本体と、庇本体の先端部に連結される庇先端部材と、を備え、庇先端部材は、下り傾斜状に形成される傾斜本体部と、傾斜本体部の下り先端部に滑らかに連結されて円弧状に下る曲面部と、曲面部の下端部から下方に延在する前面部と、傾斜本体部に対向して設けられる下板部と、を有し、下板部は、曲面部又は前面部に連結されており、少なくとも前面部の下端部は下板部よりも下方に突出している。
【００１１】
本発明の庇構造では、庇本体の先端部に連結される庇先端部材を備え、当該庇先端部材の傾斜本体部が、下り傾斜状に形成されているので、当該傾斜本体部上の水は、下り先端部に向けて重力落下することとなる。そして、当該下り先端部にて曲面部に沿って下方に向けて流下して前面部に至り、当該前面部の下端部から落下することとなる。この際、当該前面部の下端部は下板部よりも下方に突出しているので、当該下端部に至った水滴は下板部側に回り込むことなく速やかに落下することとなる。そして、このような庇先端部材が、庇本体の先端部に連結されるので、庇本体の上面部に降りかかる雨水等を良好に流下させることができる。また、傾斜本体部の下方を下板部が覆うことになるので、下方から当該先端部を見上げた際の美感が維持される。以上より、水切り性能を確保しつつ、美感を損なわない庇構造を提供することができる。
【００１２】
また、庇本体は、上面部の先端部から下方に突出する鼻隠し部を備え、庇先端部材は、鼻隠し部の上端部に取り付けられ、庇本体の上面部に連結された第１の水切り材と、鼻隠し部の下端部に取り付けられた第２の水切り材とを有することが好ましい。これによれば、庇本体の上面部に連結された第１の水切り材により、庇本体の上面部に降りかかる雨水等を良好に流下させることができる。また、鼻隠し部の下端部に取り付けられた第２の水切り材により、鼻隠し部を流下する雨水を第２の水切り材から流下させることができる。
【００１３】
また、第１の水切り材の先端部は、第２の水切り材の先端部よりも躯体から離れる側に突出して設けられていることが好ましい。これによれば、第１の水切り材から落下する雨水は第２の水切り材上に落下することなく、第２の水切り材の前方を通過する。よって、速やかな排水処理がなされることとなる。
【発明の効果】
【００１４】
本発明によれば、水切り性能を確保しつつ、美感を損なわない庇先端部構造及び庇構造を提供することができる。
【図面の簡単な説明】
【００１５】
【図１】本発明の第１実施形態に係る庇構造の斜視図である。
【図２】本発明の第１実施形態に係る庇構造の分解斜視図である。
【図３】本発明の第１実施形態に係る庇構造の上面図である。
【図４】図３のＩＶ−ＩＶ線に沿った断面図である。
【図５】図４中の第１の水切り材付近を拡大して示す断面図である。
【図６】第１の水切り材の斜視図である。
【図７】第１の水切り材の平面図である。
【図８】第１の水切り材の底面図である。
【図９】第１の水切り材の右側面図である。
【図１０】第１の水切り材の左側面図である。
【図１１】第１の水切り材の正面図である。
【図１２】第１の水切り材の背面図である。
【図１３】図１１のＸＩＩＩ−ＸＩＩＩ線に沿った断面図である。
【図１４】図９のＸＩＶ−ＸＩＶ線に沿った断面図である。
【図１５】本発明の第２実施形態に係る庇構造の斜視図である。
【図１６】図１５中の第１の水切り材付近を拡大して示す断面図である。
【発明を実施するための形態】
【００１６】
以下、図面を参照して本発明に係る庇先端部構造及び庇構造の実施形態を説明する。一般に、庇は、建物の窓や出入り口などの開口の上に取り付けられ、日よけや雨よけ用として機能する小型の片流れ屋根である。本実施形態に係る庇構造１は、躯体Ｘから張り出すように設けられて庇として機能する構造体を広く意図している。以下では、入隅部Ｂと出隅部Ｃとを備えた建物の庇構造１を例に説明する。なお、躯体とは、建物の主要な構造体、または骨組みを意味する。以下の実施形態では、躯体Ｘは、基礎、基礎上に立設された柱、及び柱同士に渡された梁などを備える。
【００１７】
［第１実施形態］
本実施形態に係る建物Ａは、工業化住宅（「規格化住宅」ともいう）であり、例えば、躯体Ｘに取り付けられた外壁２を備える。外壁２としては、例えば、耐火性や断熱性、更に、作業性を考慮して軽量気泡コンクリート（ＡＬＣ）パネルなどの外壁パネルが用いられる。
【００１８】
図１及び図３に示されるように、建物Ａは、入隅部Ｂと出隅部Ｃとを備えている。入隅部Ｂは直交する二つの外壁２ａ，２ｂが入り合って形成される部分であり、室外側から見て凹状となる角部分である。出隅部Ｃは直交する二つの外壁２ａ，２ｃが出合って形成される部分であり、室外側から見て凸状となる角部分である。庇構造１は、外壁面（躯体表面）２ｄに沿って設けられており、たとえば入隅部Ｂから出隅部Ｃにかけて設けられ、更に、出隅部Ｃを跨ぎ、方向を変えて延在する。庇構造１の入隅部Ｂ側の端１ａは、外壁２ｂの外壁面２ｄに当接して閉鎖された端部を形成し、反対側の端１ｂは、外壁２ｃの外壁面２ｄに当接することなく、開放された端部を形成する。
【００１９】
最初に庇構造１の概要を説明する。図１、図２、及び図４に示されるように、庇構造１は、躯体Ｘに固定された複数のアーム部３と、アーム部３に支持された庇本体４とを備えている。アーム部３は板状の部材であり、基端部にはフランジ部３ａが設けられている。フランジ部３ａは、Ｈ形鋼からなる梁６のウェブ部６ａに固定されている。また、アーム部の先端部３ｂは、外壁２ａ，２ｃを貫通して外方に突出している。アーム部３の先端部３ｂ同士は、断面Ｃ字状の鼻先金物５によって互いに連結されている。
【００２０】
庇本体４は、複数の庇ユニット７を横並びに連結することで形成される。各庇ユニット７は、外壁面２ｄから突き出たアーム部３に被さるように載置され、少なくとも二つのアーム部３によって支持されている。また、庇本体４は、躯体Ｘ側の基端部から先端部にかけて下り傾斜状に形成された上面部８を備えており、上面部８には、その先端部９から下方に突出する鼻隠し部１１が設けられている。上面部８上に落下した雨水は、先端部９側に向けて流下する。
【００２１】
庇本体４の先端部９には、庇先端部材２０が連結されている。すなわち、庇先端部材２０は、躯体Ｘから張り出す庇本体４の先端部９に設けられる庇先端部構造１０を成している。庇先端部材２０は、鼻隠し部１１の上端部１１ａに取り付けられ、庇本体４の上面部８に揃うように連接された第１の水切り材２１と、鼻隠し部１１の下端部１１ｂに取り付けられた第２の水切り材２２とを有する。第１の水切り材２１は、複数の庇ユニット７の連結部分７ａを跨ぐように配置された横長の部材であり、複数の庇ユニット７の先端側の連結部分７ａは第１の水切り材２１によって目隠しされる。庇本体４の上面部８を伝って流下した雨水は、第１の水切り材２１によって水切りされる。第１の水切り材２１の先端部２１ａは、第２の水切り材２２の先端部２２ａよりも、躯体Ｘの外壁面２ｄから離れる側すなわち前方に突出して設けられている。
【００２２】
第２の水切り材２２は、第１の水切り材２１と同様に、複数の庇ユニット７の先端側の連結部分７ａを目隠しする。また、第２の水切り材２２は、鼻隠し部１１の下端部１１ｂに取り付けられており、鼻隠し部１１を流下する雨水を受けて流下させる。第２の水切り材２２によって、水切りの効果を高めることができる。
【００２３】
次に、第１の水切り材２１の構成について、詳細に説明する。図５は図４中の第１の水切り材２１付近を拡大して示す断面図、図６は第１の水切り材２１の斜視図、図７は第１の水切り材２１の平面図、図８は第１の水切り材２１の底面図、図９は第１の水切り材２１の右側面図、図１０は第１の水切り材２１の左側面図、図１１は第１の水切り材２１の正面図、図１２は第１の水切り材２１の背面図、図１３は図１１のＸＩＩＩ−ＸＩＩＩ線に沿った断面図、図１４は図９のＸＩＶ−ＸＩＶ線に沿った断面図である。
【００２４】
図５に示されるように、庇本体４における先端部９の上部には、段部１２及び水平板部１３が連接されている。また、庇本体４における鼻隠し部１１は、その上端部１１ａにて連接される前壁部１５及び水平板部１６を有している。水平板部１３の一部と水平板部１６の一部とは、重ね合わされている。
【００２５】
第１の水切り材２１は、金属等により一体的に形成される横長の部材であり（図６参照）、第１の水切り材２１の短尺方向を躯体Ｘから張り出される方向として、庇本体４の鼻隠し部１１の上端部１１ａに取り付けられている。第１の水切り材２１の長尺方向の長さは、連結された複数の庇ユニット７における先端部９側の合計長さ、あるいは先端部９を複数つなげた長さに等しく、配置される庇ユニット７の個数によって、例えば６００ｍｍ〜３６００ｍｍの範囲において適宜変更可能である。第１の水切り材２１は連結部分７ａを跨ぐように配置されるので、最も目立つ庇ユニット７の先端部９側を目隠しし、庇本体４全体として一体感を持たせる機能を有する。複数の第１の水切り材２１が設けられる場合には、複数の第１の水切り材２１は、先端部９に沿って横方向に並べられる。なお、図７〜図１２では、長さ６００ｍｍの第１の水切り材２１を図示している。
【００２６】
第１の水切り材２１は、傾斜本体部２３と、曲面部２４と、前面部２５と、下板部２６と、を備える。傾斜本体部２３は、立ち上がり状の第１の当接部２３ａを有し、この第１の当接部２３ａが、庇本体４の段部１２に当接している。傾斜本体部２３には、第１の当接部２３ａを起点として、段部１２側を基端に略水平に延在する水平面２３ｂと、水平面２３ｂに連接され、段部１２側を基端に下り傾斜する傾斜面２３ｃと、傾斜面２３ｃの先端に位置する下り先端部２３ｄと、が形成されている。傾斜面２３ｃは、水平面２３ｂに比して、躯体Ｘから張り出される方向に長く延在し、その傾斜角は、庇本体４の上面部８と略同じ傾斜角とされている。庇本体４の上面部８を伝い、上面部８に連接される段部１２側へ流下した雨水等の水は、段部１２に当接する第１の当接部２３ａ、水平面２３ｂ、及び傾斜面２３ｃ上をさらに伝って、下り先端部２３ｄに向けて重力落下することとなる。
【００２７】
第１の当接部２３ａと水平面２３ｂとの連接部分には、庇本体４の水平板部１３に載置される第１の脚部２３ｅが形成されている。傾斜面２３ｃの基端側には、鼻隠し部１１の水平板部１６に載置される第２の脚部２３ｆが形成されている。第１の脚部２３ｅ及び第２の脚部２３ｆがそれぞれ載置された状態で、水平面２３ｂの上面から例えばビス３０等で固定されることにより、第１の水切り材２１が鼻隠し部１１の上端部１１ａに取り付けられる。なお、本実施形態では、傾斜面２３ｃの中央から下り先端部２３ｄに亘り、複数の突起２３ｇが下板部２６に向かって設けられている。
【００２８】
曲面部２４は、傾斜本体部２３における下り先端部２３ｄに滑らかに連結され、凸円弧状に下り、前面部２５に滑らかに連結されている。曲面部２４の曲率半径は、例えば２〜６ｍｍとされ、最も好ましくは４ｍｍである。傾斜本体部２３の傾斜面２３ｃ上を重力落下してきた水は、第１の水切り材２１の先端部２１ａで曲面部２４に沿って下方に向けて流下する。
【００２９】
前面部２５は、曲面部２４の下端部に連結されて、略鉛直方向に延在している。前面部２５の下端部２５ｃは、例えば円弧状に形成される丸端部２５ａと、丸端部２５ａに連接される傾斜端部２５ｂと、を有している。丸端部２５ａは、前面部２５の下端において鼻隠し部１１から離れた外縁側に形成されている。傾斜端部２５ｂは、丸端部２５ａから鼻隠し部１１側に向かって上り傾斜状に形成されている。曲面部２４に沿って下方に向けて流下してきた水は、前面部２５に至り、下端部２５ｃから落下することとなり、水切りがなされる。
【００３０】
下板部２６は、傾斜本体部２３に対向して設けられ、水平状である。下板部２６は、第１の水切り材２１の前面部２５に連結され、第１の水切り材２１の強度を高めている。下板部２６は、前面部２５における下端部２５ｃよりも、傾斜本体部２３に近い上方の位置で連結されている。すなわち、第１の水切り材２１の前面部２５における下端部２５ｃは、下板部２６よりも下方に突出している。よって、下端部２５ｃに至った水滴は、下板部２６側に回り込むことなく速やかに落下することとなる。なお、第１の水切り材２１の下板部２６は、前面部２５でなく曲面部２４に連結されてもよい。
【００３１】
また、下板部２６は、鼻隠し部１１の前面部１５に当接する第２の当接部２６ａを有し、曲面部２４又は前面部２５に連結された位置から第２の当接部２６ａに向かって延在している。よって、傾斜本体部２３の下方を下板部２６が覆うことになるので、下方から第１の水切り材２１を見上げた際の美感が維持される。
【００３２】
なお、傾斜本体部２３の傾斜面２３ｃと下板部２６との間には、支持板２７が設けられている。また、第１の水切り材２１は、傾斜本体部２３の傾斜面２３ｃ、曲面部２４、前面部２５、下板部２６及び支持板２７が連結されることにより、躯体Ｘから張り出される方向と直交する長尺方向に延びる貫通孔２８を有している。また、第１の水切り材２１の端面は、右側面及び左側面で略対称の形状とされ（図９及び図１０参照）、図１３に示される断面と同じ形状を呈している。
【００３３】
次に、第２の水切り材２２について、図４を参照して説明する。図４に示されるように、第１の水切り材２２は、鼻隠し部１１の下端部１１ｂに取り付けられ、傾斜本体部４３と、曲面部４４と、前面部４５と、下板部４６と、を備える。傾斜本体部４３は、躯体Ｘから張り出される方向に広がる斜面を有している。鼻隠し部１１を流下する雨水等の水は、傾斜本体部４３の有する斜面上を伝い、重力落下していく。
【００３４】
曲面部４４は、傾斜本体部４３に滑らかに連結され、凸円弧状に下り、前面部４５に滑らかに連結されている。曲面部４４の曲率半径は、例えば２〜６ｍｍとされている。傾斜本体部４３の傾斜面上を重力落下してきた水は、第２の水切り材２２の先端部２２ａで曲面部４４に沿って下方に向けて流下する。
【００３５】
前面部４５は、曲面部４４の下端部に連結されて、略鉛直方向に延在している。曲面部４４に沿って下方に向けて流下し、前面部４５に至った水は、前面部４５の下端部から落下することとなり、水切りがなされる。
【００３６】
下板部４６は、傾斜本体部４３に対向して設けられ、水平状である。下板部４６は、第２の水切り材２２の前面部４５に連結され、第２の水切り材２２の強度を高めている。下板部４６は、前面部４５の下端部よりも傾斜本体部４３に近い上方の位置で連結されている。すなわち、第２の水切り材２２における前面部４５の下端部は、下板部４６よりも下方に突出している。よって、前面部４５の下端部に至った水滴は、下板部４６側に回り込むことなく速やかに落下することとなる。
【００３７】
以上、本実施形態に係る庇構造１によれば、第１の水切り材２１の傾斜本体部２３が下り傾斜状に形成されているので、当該傾斜本体部２３上の水は、下り先端部２３ｄに向けて重力落下することとなる。そして、当該下り先端部２３ｄにて曲面部２４に沿って下方に向けて流下して前面部２５に至り、当該前面部２５の下端部２５ｃから落下することとなる。この際、当該前面部２５の下端部２５ｃは下板部２６よりも下方に突出しているので、当該下端部２５ｃに至った水滴は下板部２６側に回り込むことなく速やかに落下することとなる。このように、前面部２５の下端部２５ｃに至った水滴は、下り先端部２３ｄにて滞留することなく速やかに落下することとなる。その結果、下り先端部２３ｄに水滴が付着したまま溜まり、その後蒸発することを繰り返すことに起因する当該下り先端部２３ｄへの埃等の付着を抑制し、かかる速やかな雨水の流下状態を長期に亘って維持することができる。そして、このような第１の水切り材２１が、庇本体４の先端部９に連結されるので、庇本体４の上面部８に降りかかる雨水等を良好に流下させることができる。また、第１の水切り材２１は、複数の庇ユニット７の連結部分７ａを跨ぐように配置された横長の部材であり、複数の庇ユニット７の先端側の連結部分７ａは第１の水切り材２１によって目隠しされる。このため、庇本体４において最も目立つ先端部９側の形状が一体的に形成され、庇本体４全体として一体感を持った外観とすることができる。また、傾斜本体部２３の下方を下板部２６が覆うことになるので、下方から当該先端部９を見上げた際の美感が維持される。以上より、水切り性能を確保しつつ、美感を損なわない庇構造１を提供することができる。
【００３８】
また、第１の水切り材２１の曲面部２４の曲率半径が、２〜６ｍｍとされている。ここで、曲率半径が小さすぎると曲面部がほとんどなく、縁部にて水滴の表面張力が発揮され、結果として雨水が付着して滞留してしまう。一方、曲率半径が大きすぎると、曲面部での雨水の接触面積が増加し、付着力が大きくなって流下速度が低下し、結果として雨水の付着につながる虞がある。本実施形態においては、上述のように曲率半径が２〜６ｍｍとされているので、雨水の付着を抑制でき、より速やかな雨水の落下を図ることができる。また、下板部２６が曲面部２４又は前面部２５に連結されることとなるので、第１の水切り材２１の強度向上が図られる。
【００３９】
また、鼻隠し部１１の下端部１１ｂに取り付けられた第２の水切り材２２により、前壁部１５を流下する雨水を第２の水切り材２２から流下させることができる。
【００４０】
また、第１の水切り材２１の先端部２１ａは、第２の水切り材２２の先端部２２ａよりも躯体から離れる側に突出して設けられているので、第１の水切り材２１から落下する雨水は第２の水切り材２２上に落下することなく、速やかな排水処理がなされることとなる。
【００４１】
［第２実施形態］
次に、本発明の第２実施形態について説明する。本実施形態の説明では、上記第１実施形態と異なる点について主に説明する。図１５は本発明の第２実施形態に係る庇構造の斜視図、図１６は図１５中の第１の水切り材１２１付近を拡大して示す断面図である。
【００４２】
図１５及び図１６に示すように、本実施形態における庇構造１００は、第１の水切り材１２１を備え、当該第１の水切り材１２１は、上記第１実施形態における第１の水切り２１と同様、第１の水切り材１２１の短尺方向を躯体Ｘから張り出される方向として、庇本体４の鼻隠し部１１の上端部１１ａに取り付けられている。また、第１の水切り材１２１は、傾斜本体部２３と、曲面部２４と、前面部２５と、下板部２６と、を備え、これらの各構成は上記第１の実施形態と同様である。
【００４３】
本実施形態における第１の水切り材１２１が上記第１の実施形態における第１の水切り材２１と異なる点は、傾斜本体部２３の傾斜方向に交差する凸条部１２２と、当該凸条部１２２の延在方向における側部に切欠き部１２３が設けられている点である。
【００４４】
凸条部１２２は、傾斜本体部２３における傾斜面２３ｃの上面において直立に形成される凸部１２２ａを有している。当該凸部１２２ａは、傾斜面２３ｃの傾斜方向に対し直交する方向に、庇ユニット７における先端部９側に略平行に延在している。傾斜本体部２３を流下する雨水は、凸条部１２２の凸部１２２ａに一度流下を塞き止められることとなる。
【００４５】
凸部１２２ａが延在する長さは傾斜本体部２３の長尺方向の長さより短く、傾斜本体部２３の長尺方向端部には切欠き部１２３が設けられている。凸条部１２２の凸部１２２ａに一度塞き止められた雨水は、当該切欠き部１２３を通じて流下することとなる。これにより、傾斜本体部２３の下り先端部２３ｄにおいて雨水が流下する範囲を狭めて水切りを行うことができる。
【００４６】
以上、本実施形態においても、第１実施形態同様、水切り性能を確保しつつ、美感を損なわない庇構造１００を提供することができる。さらに、本実施形態に係る庇構造１００によれば、傾斜本体部２３を流下する雨水は、凸条部１２２の凸部１２２ａに一度流下を塞き止められることとなる。凸条部１２２の延在方向における側部には、切欠き部１２３が設けられているので、当該切欠き部１２３を通じて雨水が流れることとなる。これにより、傾斜本体部２３の下り先端部２３ｄにおいて雨水が流下する範囲を狭めて水切りを行うことができる。
【００４７】
以上、本発明の好適な実施形態について説明したが、本発明は上記実施形態に限定されるものではなく、各請求項に記載した要旨を変更しない範囲で変形し、又は他のものに適用したものであってもよい。
【００４８】
例えば、庇本体４における先端部９の上部に連接された水平板部１３と、庇本体４における鼻隠し部１１が有する水平板部１６とは、一体的に形成されていてもよい。
【００４９】
また、凸条部１２２の凸部１２２ａの延在方向は、雨水を塞き止める機能を有する限り、庇ユニット７の先端部９側と平行でなくてもよい。例えば、切欠き部１２３に向かって雨水が流下しやすいように、切欠き部１２３から離れた側を庇ユニット７の先端部９側に近づけ、切欠き部１２３側に向かうほど庇ユニット７の先端部９側から遠ざかるように形成してもよい。また、切欠き部１２３は、凸条部１２２の延在方向における側部の一方だけに限らず、両側部に設けられていてもよい。
【符号の説明】
【００５０】
１，１００…庇構造、４…庇本体、８…庇本体の上面部、９…庇本体の先端部、１０…庇先端部構造、１１…鼻隠し部、１１ａ…鼻隠し部の上端部、１１ｂ…鼻隠し部の下端部、２０…庇先端部材、２１，１２１…第１の水切り材、２１ａ…第１の水切りの先端部、２２…第２の水切り材、２２ａ…第２の水切りの先端部、２３…傾斜本体部、２３ｄ…傾斜本体部の下り先端部、２４…曲面部、２５…前面部、２５ｃ…前面部の下端部、２６…下板部、１２２…凸条部、１２３…切欠き部、Ｘ…躯体。
【図１】
2014214521.tif 000003
【図２】
2014214521.tif 000004
【図３】
2014214521.tif 000005
【図４】
2014214521.tif 000006
【図５】
2014214521.tif 000007
【図６】
2014214521.tif 000008
【図７】
2014214521.tif 000009
【図８】
2014214521.tif 000010
【図９】
2014214521.tif 000011
【図１０】
2014214521.tif 000012
【図１１】
2014214521.tif 000013
【図１２】
2014214521.tif 000014
【図１３】
2014214521.tif 000015
【図１４】
2014214521.tif 000016
【図１５】
2014214521.tif 000017
【図１６】
2014214521.tif 000018